(57)【要約】      （修正有）【課題】女性などの頭髪を結って種々の髪形にアレンジするに際して、束ねた髪を引き抜く方法や使用者の髪質によらず、髪が滑らずにしっかりと保持することができる髪結具を提供する。【解決手段】使用者が把持する柄部１と、柄部１の一端側に設けられ閉じたリング部２と、リング部２からリング内に向かって突き出して複数設けられた突設部３を備えることを特徴とする髪結具によって、突設部３が髪を食い込んで接触する箇所を増やして把持する力を高める。【選択図】図１
0003204409.tif 000002
【実用新案登録請求の範囲】
【請求項１】
使用者が把持する柄部（１）と、
前記柄部（１）の一端側に設けられ閉じたリング部（２）と、
前記リング部（２）からリング内に向かって突き出して複数設けられた突設部（３）を備えることを特徴とする髪結具。
【請求項２】
前記突設部（３）が、前記リング部（２）における前記柄部（１）とは反対側の位置に設けられていることを特徴とする請求項１に記載の髪結具。
【請求項３】
前記突設部（３）の根元に板状の基部（４）を備えることを特徴とする請求項１又は請求項２に記載の髪結具。
【請求項４】
前記突設部（３）と前記基部（４）とに段差を有することを特徴とする請求項３に記載の髪結具。
【請求項５】
前記柄部（１）に、表面より隆起した隆起部（５）を備えることを特徴とする請求項１から請求項３のいずれかに記載の髪結具。
【請求項６】
前記リング部（２）が前記柄部（１）の伸長方向に沿って細長く部分的に角張った形状を複数箇所に有することを特徴とする請求項１から請求項３のいずれかに記載の髪結具。
【考案の詳細な説明】
【技術分野】
【０００１】
本考案は、女性などの頭髪を結って、種々の髪形にアレンジするときに使用する道具であって、使用後は髪に留まらない道具である。
【背景技術】
【０００２】
従来、女性などの頭髪を結って種々の髪形にアレンジするときに使用する道具が市販などされており、広く使用されている。
【０００３】
例えば、先行文献１には、弾性部材で形成されたループ状の髪通し穴部と、それと一体成形された棒状の髪挿し部からなる髪結具が開示されており、うしろで束ねた下げ髪であるポニーテールの状態から、束ねている根元に髪挿し部を上から差し込み、上に出ている髪通し穴部にポニーテールの先端側を通した状態で、髪挿し部の基端側を把持して下方に引き抜くと、ポニーテールの両側の髪がうしろ中央部に向かって集結することとなり、髪形のアレンジができることが記載されている。
【先行技術文献】
【特許文献】
【０００４】
【特許文献１】特開平６−２８４９２２号公報
【考案の概要】
【考案が解決しようとする課題】
【０００５】
しかしながら、特許文献１の髪結具では、髪と通す髪通し穴部は、単なる略円環状の形状を有しているために、髪結具を引き抜く方向や使用者の髪質によっては、使用者の髪をしっかりと保持することができずに滑ってしまい思うように使用することができないことがあった。
【０００６】
そのため、本考案では、女性などの頭髪を結って種々の髪形にアレンジするに際して、束ねた髪を引き抜く方法や使用者の髪質によっても、髪が滑らずにしっかりと保持することができる髪結具を提供することを目的とする。
【課題を解決するための手段】
【０００７】
〔１〕すなわち、使用者が把持する柄部（１）と、前記柄部（１）の一端側に設けられ閉じたリング部（２）と、前記リング部（２）からリング内に向かって突き出して複数設けられた突設部（３）を備えることを特徴とする髪結具である。
【０００８】
〔２〕そして、前記突設部（３）が、前記リング部（２）における前記柄部（１）とは反対側の位置に設けられていることを特徴とする前記〔１〕に記載の髪結具である。
【０００９】
〔３〕そして、前記突設部（３）の根元に板状の基部（４）を備えることを特徴とする前記〔１〕又は前記〔２〕に記載の髪結具である。
【００１０】
〔４〕そして、前記突設部（３）と前記基部（４）とに段差を有することを特徴とする前記〔３〕に記載の髪結具である。
【００１１】
〔５〕そして、前記柄部（１）に、表面より隆起した隆起部（５）を備えることを特徴とする前記〔１〕から前記〔３〕のいずれかに記載の髪結具である。
【００１２】
〔６〕そして、前記リング部（２）が前記柄部（１）の伸長方向に沿って細長く部分的に角張った形状を複数箇所に有することを特徴とする前記〔１〕から前記〔３〕のいずれかに記載の髪結具である。
【考案の効果】
【００１３】
本考案の髪結い具によれば、女性などの頭髪を結って種々の髪形にアレンジするに際して、束ねた髪を引き抜く方法や使用者の髪質によらず、髪が滑らずにしっかりと保持することができる。
【図面の簡単な説明】
【００１４】
【図１】本考案の第一実施形態における髪結具における斜視図である。
【図２】本考案の第一実施形態における髪結具における正面図である。
【図３】本考案の第一実施形態における髪結具における側面図である。
【図４】本考案の第一実施形態における髪結具におけるＡ−Ａ線断面図である。
【図５】本考案の第二実施形態における髪結具における正面図である。
【図６】本考案の第三実施形態における髪結具における正面図である。
【図７】本考案の第四実施形態における髪結具における正面図である。
【図８】本考案の第一実施形態における髪結具を使用するときの第一状態図である。
【図９】本考案の第一実施形態における髪結具を使用するときの第二状態図である。
【図１０】本考案の第一実施形態における髪結具を使用するときの第三状態図である。
【図１１】本考案の第一実施形態における髪結具を使用するときの第四状態図である。
【考案を実施するための形態】
【００１５】
以下、本考案に係る髪結具に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。
【００１６】
＜第一実施形態＞
図１〜図３に示すように、本考案の第一実施形態における髪結具は、使用者が把持する柄部１と、柄部１の一端側に設けられ閉じたリング部２と、リング部２からリング内に向かって突き出して複数設けられた突設部３を備えている。
【００１７】
さらに、本実施形態において、突設部３の根元に板状の基部４を備えている。また、柄部１に、表面より半球状に隆起した複数の隆起部５を備えている。
【００１８】
本実施形態において、柄部１、リング部２、突設部３、基部４、隆起部５は、熱可塑性樹脂又は熱硬化性樹脂などの有機材料から一体的に成形され、髪結具として均質な材料であるが、他の実施形態において、ステンレス、セラミックスなどの無機材料から成形されていても良いし、一体成形ではなく柄部とリング部を組み合わせるなど特定の部材を組み合わせて製造されても良い。
【００１９】
柄部１は、使用者が手でしっかりと持つ部材である。また、柄部１は、使用時に女性などの髪に差し込む部材でもある。本実施形態において、使用者が持ちやすく、髪に差し込み易くするために、棒状の形状をしており、さらに、リング部２とは反対の他端側において先端に向かって徐々に細くなる形状をしている。
【００２０】
リング部２は、柄部１の一端側に設けられ、開口部分がない閉じた形状の部材である。リング部２は、その中に髪束の先端側を挿入し、髪束を所望の位置に移動させるように作用する。本実施形態において、リング部２は、柄部１の伸長方向に沿って細長い形状を有しており、さらに、リング部２における柄部１が位置する側とは反対側である先端側において、すぼまり角張った形状を有するとともに柄部１が位置する側と先端側との間にもリング部２の曲率半径が変位する角張った形状を有している。このように、部分的に角張った形状を複数箇所に有することにより、リング部２の髪束の先端側を挿入し、髪束を所望の位置に移動させるときに、リング部２に掛かる応力が一箇所に集中せずに分散し、リング部２がちぎれにくくなり耐久性が向上するという顕著な効果を奏する。また、リング部２の先端側がすぼまり角張った形状を有するので、髪結具を柄部１側からだけでなくリング部２側からでも髪に対して通し易くなる効果も奏する。
【００２１】
突設部３は、リング部２からリング内に向かって突き出している部材であり、複数設けられている。突設部３により、リング部２に束ねた髪を通して、所定の方向にその髪束を移動させるときに、突設部３が髪束に食い込んで髪と接触する箇所を増やして髪を把持する力を高めることにより、束ねた髪を引き抜く方法や使用者の髪質によらず、髪を滑らせずにしっかりと保持することができるという顕著な効果を奏する。
【００２２】
本実施形態において、突設部３は、略円柱状の部材であり、それが所定の間隔で５本並行して、リング部２の内側に向かって設けられている。本実施形態において、突設部３は５本であるが、他の実施形態において、２から４本、あるいは６本以上とリング部２の大きさに応じて複数本設けることができる。また、他の実施形態において、リング部２の先端側でなくリング部２の柄部１側に、突設部３を複数設けることもできる。
【００２３】
基部４は、突設部３の根元、すなわち、リング部２から突設部３が突設し始める箇所に位置する板状の部材である。基部４により、リング部２の先端側が変形しにくくなりリング部２の先端側がちぎれるという障害を緩和する効果を奏するとともに、髪と当接する突設部３の実質的な長さを短くすることにより、束ねた髪をリング部２から引き抜くときに髪が引っ掛かりにくく抜け易くするという効果を奏する。
【００２４】
また、図４に示すように、本実施形態において、基部４はリング部２や突起部３との径より薄く設けられ、突設部３と基部４とに段差を有しており、基部４が突設部３に対して蛙などの水掻きのような形状を有している。このように、突設部３と基部４とに段差があることにより、有機材料や無機材料などで一体形成としたときに、髪結具を金型から抜き易くするとともに、金型からはみ出す余分な材料であるバリの生成を抑制することができる。
【００２５】
隆起部５は、柄部１の表面より隆起した部材である。隆起部５により、使用者が柄部１を把持するときに滑り止めとなり、リング部２に髪束を通して引き抜いたりするときにしっかりと柄部１を把持することができるという効果を奏する。
【００２６】
本実施形態においては、隆起部１は、半球状に隆起した部材であり、柄部１の両面にそれぞれ所定の間隔で１０個ずつ設けられているが、他の実施形態において、柄部１より隆起しており滑り止めとして機能している限りにおいて、その形状及び個数については種々の態様を採ることができる。
【００２７】
次に、本実施形態の髪結具の使用方法について説明する。
【００２８】
図８に示すように、髪の毛を頭部後方でポニーテール状に１つに束ねる。そして、図９に示すように、髪束の先端側をリング部２に通すとともに、柄部１の他端側を髪束の根元に通す。そして、図１０に示すように、柄部１を持って、髪束の根元を通して上方へ髪結具を引っ張り上げる。このとき、リング部２からリング内に向かって突き出して複数設けられた突設部３が髪束をしっかり保持するために、リング部２から髪束が外れない。最終的に、図１１に示すように、髪束を引っ張り上げた後にリング部２から外すことにより、髪を立体的にスタイリングすることができ、結う髪形のバリエーションを増やすことができる。
【００２９】
＜第二実施形態＞
図５に示すように、本考案の第二実施形態における髪結具は、第一実施形態と同様に、使用者が把持する柄部１と、柄部１の一端側に設けられ閉じたリング部２と、リング部２からリング内に向かって突き出して複数設けられた突設部３を備えている。そして、突設部３の根元に板状の基部４を備えている。また、柄部１に、表面より半球状に隆起した複数の隆起部５を備えている。
【００３０】
本考案の第二実施形態における髪結具は、第一実施形態と異なり、リング部２が一まわりほど大きく、リング部２の先端側から６本の突設部３が柄部１に向かって突設されている。突設部３が６本突設されることより、リング部２が大きくなっても図８から図１１に示すように髪束を結うときに、突設部３が髪束をより保持し易くなるという効果を奏する。
【００３１】
＜第三実施形態＞
図６に示すように、本考案の第三実施形態における髪結具は、第一実施形態と同様に、使用者が把持する柄部１と、柄部１の一端側に設けられ閉じたリング部２と、リング部２からリング内に向かって突き出して複数設けられた突設部３を備えている。そして、突設部３の根元に板状の基部４を備えている。
【００３２】
本考案の第三実施形態における髪結具は、第一実施形態と異なり、リング部２が一まわりほど小さく、リング部２の先端側から３本の突設部３が柄部１に向かって突設されている。突設部３が３本突設されることより、リング部２が小さく細かいアレンジを行うときにも図８から図１１に示すように髪束を結うときに、突設部３が髪束をより保持し易くなるという効果を奏する。
【００３３】
＜第四実施形態＞
図７に示すように、本考案の第四実施形態における髪結具は、第一実施形態と同様に、使用者が把持する柄部１と、柄部１の一端側に設けられ閉じたリング部２と、リング部２からリング内に向かって突き出して複数設けられた突設部３を備えている。そして、突設部３の根元に板状の基部４を備えている。また、柄部１に、表面より半球状に隆起した複数の隆起部５を備えている。
【００３４】
本考案の第四実施形態における髪結具は、第一実施形態と異なり、３本の突設部３をひとまとまりとして、リング部２の先端側に対向して２箇所設けられている。突設部３がリング部２の一方向からでなく二方向から突設されることより、図８から図１１に示すように髪束を結うときに、突設部３が髪束をより保持し易くなるという効果を奏する。
【符号の説明】
【００３５】
１・・・柄部
２・・・リング部
３・・・突設部
４・・・基部
５・・・隆起部
【図１】
0003204409.tif 000003
【図２】
0003204409.tif 000004
【図３】
0003204409.tif 000005
【図４】
0003204409.tif 000006
【図５】
0003204409.tif 000007
【図６】
0003204409.tif 000008
【図７】
0003204409.tif 000009
【図８】
0003204409.tif 000010
【図９】
0003204409.tif 000011
【図１０】
0003204409.tif 000012
【図１１】
0003204409.tif 000013